(57)【要約】【課題】押圧力の変動を抑制できる押圧装置、定着装置及び画像形成装置を提供する。【解決手段】回転可能な加熱ロール６６と、加熱ロール６６の回転に従動して走行される無端ベルト７２と、加熱ロール６６の反対側であって、無端ベルト７２の内側に配置される保持部材１１８と、記録媒体１２８が排出される出口側７０に設けられる第１の加圧部材１１４と、記録媒体１２８が挿入される入口側６８に設けられる第２の加圧部材１１６と、第１の加圧部材１１４が固定された第１の領域１０６と、第２の加圧部材１１６が固定された第２の領域１０８とを有する支持部材１０４であって、第１の領域１０６と第２の領域１０８は一体に形成され、第２の加圧部材１１６を加熱ロール６６に押圧するように支持する支持部材１０４と、を有する。【選択図】図２
2016057527.tif 000002
【特許請求の範囲】
【請求項１】
記録媒体が排出される出口側に設けられる第１の加圧部材と、
記録媒体が挿入される入口側に設けられる第２の加圧部材と、
前記第１の加圧部材が固定された第１の領域と、前記第２の加圧部材が固定された第２の領域とを有する支持部材であって、前記第１の領域と前記第２の領域は一体に形成され、前記第２の加圧部材を被押圧部材に押圧するように支持する支持部材と、
を有する定着装置用の押圧装置。
【請求項２】
前記第１の加圧部材の硬度は、前記第２の加圧部材の硬度より高くされている請求項１に記載の定着装置用の押圧装置。
【請求項３】
前記支持部材は、前記第１の領域と前記第２の領域との間で、前記第１の加圧部材と前記第２の加圧部材が近づく方向に曲げられている請求項１又は２に記載の定着装置用の押圧装置。
【請求項４】
回転可能な加熱ロールと、
前記加熱ロールの回転に従動して走行される無端ベルトと、
前記加熱ロールの反対側であって、前記無端ベルトの内側に配置される保持部材と、
記録媒体が排出される出口側に設けられる第１の加圧部材と、記録媒体が挿入される入口側に設けられる第２の加圧部材と、前記第１の加圧部材が固定された第１の領域と、前記第２の加圧部材が固定された第２の領域とを有する支持部材であって、前記第１の領域と前記第２の領域は一体に形成され、前記第２の加圧部材を前記加熱ロールに押圧するように支持する支持部材と、を有する押圧装置と、
を有する定着装置。
【請求項５】
前記第１の加圧部材の硬度は、前記第２の加圧部材の硬度より高くされている請求項４に記載の定着装置。
【請求項６】
前記支持部材は、前記第１の領域と前記第２の領域との間で、前記第１の加圧部材と前記第２の加圧部材が近づく方向に曲げられている請求項４又は５に記載の定着装置。
【請求項７】
前記支持部材の前記第２の領域側と前記保持部材との間には、空間が設けられている請求項４〜６のいずれかに記載の定着装置。
【請求項８】
前記第２の加圧部材の単位荷重あたりの変形量は、前記支持部材の第２の領域側の単位荷重あたりの変形量に比べて小さい請求項４〜７のいずれかに記載の定着装置。
【請求項９】
前記第１の加圧部材にへたりが生じ、前記第１の加圧部材が前記加熱ロール側に押圧された場合、
前記第２の加圧部材は、前記支持部材の前記第２の領域側が前記加熱ロール側とは反対側に移動されることで、所定の位置に配置される請求項４〜８のいずれかに記載の定着装置。
【請求項１０】
前記第２の加圧部材にへたりが生じた場合、
前記第２の加圧部材は、前記支持部材の前記第２の領域側が前記加熱ロール側に移動されることで、所定の位置に配置される請求項４〜８のいずれかに記載の定着装置。
【請求項１１】
請求項１〜３のいずれかに記載の定着装置用の押圧装置を有する画像形成装置。
【請求項１２】
請求項４〜１０のいずれかに記載の定着装置を有する画像形成装置。
【発明の詳細な説明】
【技術分野】
【０００１】
本発明は、定着装置用の押圧装置、定着装置及び画像形成装置に関する。
【背景技術】
【０００２】
定着装置としては、例えば、下記特許文献１に、弾性層を有すると共に加熱手段を有して回転する定着ローラと、前記定着ローラによって駆動されて回転する無端状の定着ベルトと、前記定着ベルトを内周面側から押圧し、前記定着ベルトを前記定着ローラに圧接させて、前記定着ベルトと前記定着ローラとの間に記録材上のトナー像を定着するためのニップ部を形成する押圧手段と、を備え、前記押圧手段は記録材の搬送方向に配設された複数の押圧部材から構成されると共に、前記複数の押圧部材は弾性体から形成された弾性部材並びに前記弾性部材より高圧で前記定着ベルトを前記定着ローラへ押圧する高圧部材及び分離部材を含むことを特徴とする定着装置が開示されている。
【０００３】
また、下記特許文献２に、外周面に弾性層を有し、加熱された状態で回転駆動される定着ロールと、一部が前記定着ロールの周面と接触し、周回移動が可能に支持された無端状ベルトと、前記定着ロールの軸線方向に沿って配置され、前記無端状ベルトを該無端状ベルトの内側から前記定着ロールに押圧される加圧パッドと、前記加圧パッドを支持する支持部材と、前記定着ロールの軸線方向における前記加圧パッドの両端付近で前記支持部材を支持し、前記無端状ベルトの周回移動方向における一端が回転が可能に支持され、他端は弾性部材を介して前記加圧パッドの前記定着ロールへの押圧力を付与する加圧レバーと、を有し、前記定着ロールと前記無端状ベルトとの接触部に、トナー像が付着した記録媒体が、前記加圧レバーが弾性部材を介して支持された端部側から送り込まれることを特徴とする定着装置が開示されている。
【０００４】
また、下記特許文献３に、互いに圧接する領域により定着領域を形成し、前記定着領域に進入した記録シートを挟持して記録シート搬送方向に回転する加熱ロールおよびエンドレスの加圧ベルト、前記エンドレスの加圧ベルトの内部に配置され且つ加圧ベルトの幅方向に延びるベルト支持フレームと、このベルト支持フレームにより支持された押圧部材保持体と、前記加圧ベルトの裏面を加熱ロールに向けて押圧する弾性を有する定着用押圧部材と、前記定着用押圧部材を支持し且つ前記押圧部材保持体により支持される定着用押圧部材支持体と、前記ベルト支持フレームに装着され且つ加圧ベルトの内周面をガイドするベルトガイドとを有し、前記加圧ベルトを回転可能に支持するベルト支持部材、前記押圧部材保持体よりも高硬度の弾性体により構成された前記定着用押圧部材支持体を備えた定着装置が開示されている。
【先行技術文献】
【特許文献】
【０００５】
【特許文献１】特開２００９−２７１２８１号公報
【特許文献２】特開２００８−０９６７３８号公報
【特許文献３】特開２００６−２５１６２２号公報
【発明の概要】
【発明が解決しようとする課題】
【０００６】
本発明は、取付位置が決められた加圧部材を用いる場合に比べ、押圧力の変動を抑制することができる定着装置用の押圧装置、定着装置及び画像形成装置を提供することを目的とする。
【課題を解決するための手段】
【０００７】
本発明の請求項１に記載の定着装置用の押圧装置は、
記録媒体が排出される出口側に設けられる第１の加圧部材と、
記録媒体が挿入される入口側に設けられる第２の加圧部材と、
前記第１の加圧部材が固定された第１の領域と、前記第２の加圧部材が固定された第２の領域とを有する支持部材であって、前記第１の領域と前記第２の領域は一体に形成され、前記第２の加圧部材を被押圧部材に押圧するように支持する支持部材と、を有する。
【０００８】
また、請求項２に記載の定着装置用の押圧装置は、前記第１の加圧部材の硬度は、前記第２の加圧部材の硬度より高くされている。
【０００９】
また、請求項３に記載の定着装置用の押圧装置は、前記支持部材は、前記第１の領域と前記第２の領域との間で、前記第１の加圧部材と前記第２の加圧部材が近づく方向に曲げられている。
【００１０】
本発明の請求項４に記載の定着装置は、
回転可能な加熱ロールと、
前記加熱ロールの回転に従動して走行される無端ベルトと、
前記加熱ロールの反対側であって、前記無端ベルトの内側に配置される保持部材と、
記録媒体が排出される出口側に設けられる第１の加圧部材と、記録媒体が挿入される入口側に設けられる第２の加圧部材と、前記第１の加圧部材が固定された第１の領域と、前記第２の加圧部材が固定された第２の領域とを有する支持部材であって、前記第１の領域と前記第２の領域は一体に形成され、前記第２の加圧部材を前記加熱ロールに押圧するように支持する支持部材と、を有する押圧装置と、を有する。
【００１１】
また、請求項５に記載の定着装置は、前記第１の加圧部材の硬度は、前記第２の加圧部材の硬度より高くされている。
【００１２】
また、請求項６に記載の定着装置は、前記支持部材は、前記第１の領域と前記第２の領域との間で、前記第１の加圧部材と前記第２の加圧部材が近づく方向に曲げられている。
【００１３】
また、請求項７に記載の定着装置は、前記支持部材の前記他方側と前記保持部材との間には、空間が設けられている。
【００１４】
また、請求項８に記載の定着装置は、前記第２の加圧部材の単位荷重あたりの変形量は、前記支持部材の第２の領域側の単位荷重あたりの変形量に比べて小さい。
【００１５】
また、請求項９に記載の定着装置は、前記第１の加圧部材にへたりが生じ、前記第１の加圧部材が前記加熱ロール側に押圧された場合、
前記第２の加圧部材は、前記支持部材の前記第２の領域側が前記加熱ロール側とは反対側に移動されることで、所定の位置に配置される。
【００１６】
また、請求項１０に記載の定着装置は、前記第２の加圧部材にへたりが生じた場合、
前記第２の加圧部材は、前記支持部材の前記第２の領域側が前記加熱ロール側に移動されることで、所定の位置に配置される。
【００１７】
請求項１１に記載の画像形成装置は、請求項１〜３のいずれかに記載の定着装置用の押圧装置を有する。
【００１８】
請求項１２に記載の画像形成装置は、請求項４〜１０のいずれかに記載の定着装置を有する。
【発明の効果】
【００１９】
請求項１の定着装置用の押圧装置によれば、取付位置が決められた加圧部材が用いられている場合に比べ、被押圧部材を押圧する押圧力の変動を抑制することができる。
【００２０】
請求項２の定着装置用の押圧装置によれば、より被押圧部材を押圧する押圧力の変動を抑制することができる。
【００２１】
請求項３の定着装置用の押圧装置によれば、より被押圧部材を押圧する押圧力の変動を抑制することができる。
【００２２】
請求項４の定着装置によれば、取付位置が決められた加圧部材が用いられている場合に比べ、押圧装置の加熱ロール側への押圧力の変動を抑制することができる。
【００２３】
請求項５の定着装置によれば、より押圧装置の加熱ロール側への押圧力の変動を抑制することができる。
【００２４】
請求項６の定着装置によれば、より押圧装置の加熱ロール側への押圧力の変動を抑制することができる。
【００２５】
請求項７の定着装置によれば、より押圧装置の加熱ロール側への押圧力の変動を抑制することができる。
【００２６】
請求項８の定着装置によれば、より押圧装置の加熱ロール側への押圧力の変動を抑制することができる。
【００２７】
請求項９の定着装置によれば、より押圧装置の加熱ロール側への押圧力の変動を抑制することができる。
【００２８】
請求項１０の定着装置によれば、より押圧装置の加熱ロール側への押圧力の変動を抑制することができる。
【００２９】
請求項１１の画像形成装置によれば、取付位置が決められた加圧部材が用いられている場合に比べ、押圧装置の加熱ロール側への押圧力の変動を抑制することができる。
【００３０】
請求項１２の画像形成装置によれば、取付位置が決められた加圧部材が用いられている場合に比べ、押圧装置の加熱ロール側への押圧力の変動を抑制することができる。
【図面の簡単な説明】
【００３１】
【図１】実施形態に係る画像形成装置を示す側面断面図である。
【図２】実施形態に係る定着装置を示す側面断面図である。
【図３】図２に示す実施形態に係る定着装置の部分拡大図である。
【図４】実施形態に係る押圧ユニットの側面断面図である。
【図５】実施形態に係る押圧装置と保持部材の断面斜視図である。
【図６】実施形態に係る押圧装置の斜視図である。
【図７】実施形態に係る定着装置の圧力分布を説明するグラフである。
【発明を実施するための形態】
【００３２】
以下、図面を参照して本発明の実施形態を説明する。ただし、以下に示す実施形態は、本発明の技術思想を具体化するための押圧装置、定着装置及び画像形成装置を例示するものであって、本発明をこれに特定することを意図するものではなく、特許請求の範囲に含まれるその他の実施形態のものにも等しく適応し得るものである。
【００３３】
［実施形態］
図１〜図７を参照して、実施形態にかかる画像形成装置１０について説明する。実施形態の画像形成装置１０は、図１に示すように、画像形成装置本体１２を有し、この画像形成装置本体１２の内部に、少なくとも１つの給紙ユニット１８と、画像形成手段１４と、定着装置３６とが搭載され、画像形成装置本体１２の上部に排出口３４を有し、これらを連通するように被転写材としての記録紙等の記録媒体１２８が搬送される搬送路３２が設けられている。また、実施形態の画像形成装置１０は、後述するように、定着装置３６に設けられた押圧装置１００に、２つの異なる硬度の加圧部材を備えたフリーベルトニップフュージング（Ｆｒｅｅ  Ｂｅｌｔ  Ｎｉｐ  Ｆｕｓｉｎｇ（ＦＢＮＦ））方式の構成を有している。以下、各構成について説明する。
【００３４】
給紙ユニット１８は、給紙ユニット本体２０と、被転写材としての記録媒体１２８が収容される給紙カセット２２、給紙カセット２２に積載された記録媒体１２８を引き出すピックアップロール２４、記録媒体１２８を捌きながら送り出すフィードロール２８及びリタードロール２６とが配設されている。このピックアップロール２４、フィードロール２８及びリタードロール２６の回転によって、給紙カセット２２に積載された記録媒体１２８が搬送路３２に沿って後述するレジストロール３８に搬送される。なお、給紙カセット２２は、給紙ユニット本体２０に対して着脱自在に装着されている。また、給紙ユニットの数は１つでもよく、また、複数設けられてもよいが、実施形態では、図１に示すように、２つの給紙ユニット１８が設けられている。
【００３５】
画像形成手段１４は、電子写真方式のもので、感光体からなる像担持体４４と、この像担持体４４を一様帯電する例えば帯電ロールからなる帯電装置５６と、この帯電装置５６により帯電された像担持体４４に、光により潜像を書き込む光書込み装置５８と、この光書込み装置５８により形成された像担持体４４の潜像をトナーにより可視化するよう現像ロールを有する現像装置６０と、この現像装置６０によるトナー像を記録媒体１２８に転写する例えば転写ロールからなる転写装置４２と、像担持体４４に残存するトナーをクリーニングするクリーニング装置６２と、転写装置４２により転写された記録媒体上のトナー像を記録媒体に定着させる定着装置３６とから構成されている。
【００３６】
光書込み装置５８は、例えば走査型のレーザ露光装置からなり、後述するプロセスカートリッジ６４を横切り、像担持体４４に潜像を形成する。なお、光書込み装置５８は、他の実施形態としてＬＥＤや面発光レーザ等を用いることができる。
【００３７】
プロセスカートリッジ６４は、像担持体４４、帯電装置５６、現像装置６０及びクリーニング装置６２を一体化したものであり、これらを一体として交換できるようになっている。このプロセスカートリッジ６４は、排出部１６を開くことにより、画像形成装置本体１２から取り出すことができる。
【００３８】
搬送路３２は、下部の給紙ユニット１８のピックアップロール２４から画像形成装置本体１２の上部の排出口３４まで連通される記録媒体１２８の通路である。この搬送路３２は、画像形成装置本体１２の内部にあって、下部の給紙ユニット１８のピックアップロール２４から定着装置３６まで略鉛直に形成されている部分を有する。
【００３９】
この搬送路３２の定着装置３６の上流側に転写装置４２と像担持体４４が配置され、さらに転写装置４２と像担持体４４の上流側にレジストロール３８が配置されている。さらに、搬送路３２の排出口３４の近傍には排出ロール４０が配置されている。
【００４０】
したがって、給紙ユニット１８の給紙カセット２２からピックアップロール２４により送り出された記録媒体１２８は、リタードロール２６及びフィードロール２８により捌かれて搬送路３２に導かれ、レジストロール３８により一次停止され、タイミングをとって転写装置４２と像担持体４４との間を通って現像剤像が転写され、この転写された現像剤像が定着装置３６により定着され、排出ロール４０により排出口３４から排出部１６へ排出されるようになっている。
【００４１】
次に、実施形態の定着装置３６について図２〜図６を参照して説明する。実施形態の定着装置３６は、加熱ロール６６と、無端ベルト状に形成された無端ベルト７２と、無端ベルト７２を回転自在に案内するガイド部材７４と、無端ベルト７２の内部に配置され無端ベルト７２を加熱ロール６６に押圧する押圧ユニット７６と、無端ベルト７２の内側に潤滑剤を供給する含浸パッド７８とを有する。
【００４２】
ガイド部材７４は、無端ベルト７２および押圧ユニット７６の両端に配置されており、フレーム１２６、１２７に支持されている。なお、無端ベルト７２と押圧ユニット７６との間に、無端ベルト７２と押圧ユニット７６との摩擦を低減するための摺動シート（図示せず）を設けてもよい。
【００４３】
加熱ロール６６は、円筒状のロール部８４と、このロール部８４内に配置されたヒータ８６とを有する。ロール部８４は、図示しない加熱ロール用軸受けに回転自在であるように支持されており、矢印Ａ方向に回転する。また、ロール部８４は、例えば鉄やステンレス、アルミニウム等の金属材料からなるコア８８と、このコア８８に被覆又は塗布された離型層９０とからなり、弾性層を有さない、いわゆるハードロールとなっている。コア８８は、外形が例えば２５ｍｍ、肉厚が例えば０．７ｍｍである。離型層９０は、絶縁性で離型性の優れた材料、例えばＰＦＡからなり、膜厚が例えば２０μｍである。
【００４４】
ロール部８４には、複数（例えば５個）の剥離爪９２が当接している。ヒータ８６は、例えば２本のランプから構成されている。また、加熱ロール６６の無端ベルト７２とは反対側には、サーモスタット９４が加熱ロール６６に対向して設けられている。
【００４５】
無端ベルト７２は、加熱ロール６６と押圧ユニット７６との間に設けられ、加熱ロール６６の回転に従動して矢印Ｃ方向に走行する。加熱ロール６６と無端ベルト７２とが押圧ユニット７６によって加圧接触することによって、押圧部１０２が形成されており、この押圧部１０２によって記録媒体１２８にトナー像が定着される。無端ベルト７２は、たとえばポリイミド等の合成樹脂によって、たとえば肉厚が７５μｍの無端ベルト状に形成されており、表面にＰＦＡ等からなる離型層が設けられている。
【００４６】
なお、押圧部１０２の上流側には、インレットシュート９６が設けられている。このインレットシュート９６に、矢印Ｂ方向に搬送された記録媒体１２８が案内され、記録媒体１２８の先端が押圧部１０２に導かれるようになっている。また、押圧部１０２の下流側にはアウトレットシュート９８が設けられている。
【００４７】
押圧ユニット７６は、無端ベルト７２を介して加熱ロール６６を押圧する押圧装置１００と、押圧装置１００を保持する保持部材１１８と、この保持部材１１８とガイド部材７４とを支持するフレーム１２６、１２７と、無端ベルト７２の回転を支持するハウジング１２４を有する。このとき、押圧ユニット７６の保持部材１１８とフレーム１２６、１２７とが協働して、押圧装置１００を加熱ロール６６側に押圧するように支持されている。
【００４８】
押圧装置１００は、図４〜図６に示すように、支持部材１０４と第１の加圧部材１１４と第２の加圧部材１１６とで構成されており、第１の加圧部材１１４と第２の加圧部材１１６が隣り合わせて設けられている。なお、第１の加圧部材１１４が設けられる側が、加熱ロール６６及び無端ベルト７２の回転方向の下流側７０、すなわち出口側７０となっており、第２の加圧部材１１６が設けられる側が、加熱ロール６６及び無端ベルト７２の回転方向の上流側６８、すなわち入口側６８となっている。
【００４９】
支持部材１０４は、ステンレス等の金属材料で形成された長尺の板状体であり、長手方向に沿った軸線を一方側の第１の領域１０６と他方側の第２の領域１０８に分ける中間部１１０を屈曲させた形状、いわゆる「逆へ字」状となっている。
【００５０】
支持部材１０４は、一方側の第１の領域１０６側が保持部材１１８に接触して保持される部分となり、他方側の第２の領域１０８側が第１の領域１０６が保持部材に保持されたとき弾性的に変形されるようになっている。なお、支持部材１０４の第１の領域１０６の長手方向の端部には、それぞれ延設された突起１１２が形成されており、この突起１１２により支持部材１０４が保持部材１１８に取り付けられるようになっている。なお、この支持部材の取り付けは、延設された突起に限られず、他の取り付け構造を用いることができる。
【００５１】
第１の加圧部材１１４は、支持部材１０４の長手方向の長さと略同じ長さであって、たとえばシリコンゴム等の耐熱性のある材料で形成されており、支持部材１０４の第１の領域１０６に取り付けられるものである。また、第２の加圧部材１１６は、第１の加圧部材１１４と同様に、支持部材１０４の長手方向の長さと略同じ長さであって、たとえばシリコンゴム等の耐熱性のある材料で形成されており、支持部材１０４の第２の領域１０８に取り付けられるものである。なお、実施形態の第１の加圧部材と第２の加圧部材は図５に示すように断面形状が矩形状となっているが、これに限らず、断面形状が多角形状や曲面を有する形状とすることもできる。
【００５２】
また、第１の加圧部材１１４と第２の加圧部材１１６の硬度は、第２の加圧部材１１６に比べ第１の加圧部材１１４の方が高くなっている。すなわち、第１の加圧部材に比べ第２の加圧部材の方がやわらかくなっている。このときの第１の加圧部材１１４及び第２の加圧部材１１６の硬度としては、例えば、第１の加圧部材１１４の硬度は、アスカーＣで７０〜７５度であり、第２の加圧部材１１６の硬度は、アスカーＣで３０〜３５度のものが用いられる。
【００５３】
保持部材１１８は、例えば、耐熱性の高いＬＣＰ（液晶ポリマー）等の樹脂材料によって形成されている。保持部材１１８には、加熱ロール６６と対向する位置に、押圧装置１００が配置される配置部１２０が形成されている。この配置部１２０は、支持部材１０４の形状と対応するように窪んだ形状となっており、支持部材１０４の第１の領域１０６側が保持部材１１８に接触して保持されたとき、支持部材１０４の第２の領域１０８側は保持部材１１８と接触しないようにされている。そのため、支持部材１０４の第２の領域１０８側と保持部材１１８との間には空間１２２が設けられている。
【００５４】
フレーム１２６、１２７は、ステンレスやアルミ等の金属材料によって形成されており、保持部材１１８を加熱ロール６６側に押圧するようになっている。このとき、フレーム１２６、１２７は、例えばコイルばね等の付勢手段（図示せず）によって加熱ロール６６側に付勢されている。
【００５５】
ハウジング１２４は、たとえばＰＥＴ（ポリエチレンテレフタレート）などの合成樹脂によって形成されており、フレーム１２７に支持されており、無端ベルト７２を支持している。
【００５６】
上述したような構成を有する定着装置３６は、まず、画像形成手段１４によりトナー像が転写された記録媒体１２８が、搬送路３２を通り、加熱ロール６６と無端ベルト７２とが押圧装置１００により押圧されている押圧部１０２に送り込まれる。このとき、加熱ロール６６が回転駆動され、これに従動して無端ベルト７２も押圧ユニット７６の外周を周回移動することで、記録媒体１２８が押圧部に送り込まれるようになる。送り込まれた記録媒体１２８は、その先端が、加熱ロール６６と無端ベルト７２との間に挟み込まれて、加熱ロール６６と押圧ユニット７６の押圧装置１００により押圧されることで、トナー像が記録媒体１２８に定着されるようになる。
【００５７】
このとき、押圧装置１００による押圧は、まず、入口側６８に設けられた硬度が低い第２の加圧部材１１６により押圧された後、硬度の高い第１の加圧部材１１４により押圧される。また、第２の加圧部材１１６は、支持部材１０４の有する弾性力を用いることで低い押圧力により押圧され、出口側７０の第１の加圧部材１１４は、押圧ユニット７６の付勢手段の付勢力により高い押圧力で押圧されている。
【００５８】
このような構成とすることで、実施形態の定着装置３６では、この定着装置３６の押圧装置１００が使用されるにつれて、第１の加圧部材１１４及び第２の加圧部材１１６の有する弾性力が減少する、いわゆるへたりが発生し、当初の押圧力が得られなくなったとしても、押圧部１０２の押圧力の圧力分布の変動を抑制し、図７Ａ及び図７Ｂに示す線Ｘの
ような押圧力の圧力分布を得る。
【００５９】
すなわち、図７Ａに示すように、出口側７０の第１の加圧部材１１４にへたりが生じた場合、第１の加圧部材１１４が付勢力により加熱ロール６６側に移動されることに伴い、入口側６８の第２の加圧部材１１６の位置が加熱ロール６６側に食い込むように移動し、線Ｙで示すように、第２の加圧部材の押圧力が大きくなろうとしても、第２の加圧部材１１６が取り付けられた第２の領域１０８側の支持部材１０４が加熱ロール６６側とは反対側に移動することで、第２の加圧部材１１６の押圧力が高くなることを抑制する。
【００６０】
また、図７Ｂに示すように、入口側６８の第２の加圧部材１１６にへたりが生じた場合、線Ｚで示すように、第２の加圧部材１１６の押圧力が弱くなったとしても、第２の加圧部材１１６が取り付けられた第２の領域１０８側の支持部材１０４の弾性力により第２の加圧部材１１６が加熱ロール６６側に移動し、加熱ロール６６側に押圧されることで、第２の加圧部材１１６の押圧力が低くなることを抑制する。
【符号の説明】
【００６１】
１０：画像形成装置  １２：画像形成装置本体  １４：画像形成手段  １６：排出部  １８：給紙ユニット  ２０：給紙ユニット本体  ２２：給紙カセット  ２４：ピックアップロール  ２６：リタードロール  ２８：フィードロール  ３２：搬送路  ３４：排出口  ３６：定着装置  ３８：レジストロール  ４０：排出ロール  ４２：転写装置  ４４：像担持体  ５６：帯電装置  ５８：光書込み装置  ６０：現像装置  ６２：クリーニング装置  ６４：プロセスカートリッジ  ６６：加熱ロール  ６８：上流側（入口側）  ７０：下流側（出口側）  ７２：無端ベルト  ７４：ガイド部材  ７６：押圧ユニット  ７８：含浸パッド  ８４：ロール部  ８６：ヒータ  ８８：コア  ９０：離型層  ９２：剥離爪  ９４：サーモスタット  ９６：インレットシュート  ９８：アウトレットシュート  １００：押圧装置  １０２：押圧部  １０４：支持部材  １０６：第１の領域  １０８：第２の領域  １１０：中間部  １１２：突起  １１４：第１の加圧部材  １１６：第２の加圧部材  １１８：保持部材  １２０：配置部  １２２：空間  １２４：ハウジング  １２６：フレーム  １２７：フレーム  １２８：記録媒体
【図１】
2016057527.tif 000003
【図２】
2016057527.tif 000004
【図３】
2016057527.tif 000005
【図４】
2016057527.tif 000006
【図５】
2016057527.tif 000007
【図６】
2016057527.tif 000008
【図７】
2016057527.tif 000009